【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
端末と通信する情報処理装置によって実行されるプログラムであって、
前記端末から、前記端末のユーザの識別情報を伴う認証要求を、前記情報処理装置の通信部によって受信することと、
前記ユーザの識別情報の認証の可否を、前記情報処理装置の制御部によって、判断することと、を実行させ、
前記認証の可否の判断は、
前記通信部によって、前記端末に質問情報を送信することと、
前記通信部によって、前記端末から前記質問情報に対する回答情報を受信することと、
前記制御部によって、前記質問情報に係る質問の正答であって前記ユーザの識別情報に対応し前記情報処理装置により提供されるサービスの利用履歴に基づく正答と、前記回答情報に係る回答と、を比較することにより行う
プログラム。
【請求項２】
請求項１に記載のプログラムであって、
前記制御部は、前記質問情報に対する前記正答を前記ユーザの識別情報に対応する前記利用履歴に基づいて特定し、特定した正答と前記回答とが合致するかに基づいて、前記ユーザの識別情報の認証を行うことを前記情報処理装置に実行させるプログラム。
【請求項３】
請求項１または請求項２に記載のプログラムであって、
前記質問情報は、前記利用履歴の内容に基づいて、前記制御部によって生成される。
【請求項４】
請求項３に記載のプログラムであって、
前記質問情報は、当該質問情報に対する正答とともに、前記利用履歴の内容に基づいて、前記制御部によって生成され、
前記制御部は、前記質問情報に対する前記回答情報に含まれる回答が前記正答に合致するかに基づいて、前記ユーザの識別情報の認証を行うことを前記情報処理装置に実行させるプログラム。
【請求項５】
請求項３または請求項４に記載のプログラムであって、
前記質問情報は、前記ユーザの認証要求を受信したことに基づいて送信される。
【請求項６】
請求項１から請求項５のいずれか一項に記載のプログラムであって、
前記ユーザの識別情報は、前記サービスの利用時のログイン時の情報として受信される。
【請求項７】
請求項１から請求項６のいずれか一項に記載のプログラムであって、
前記通信部によって、前記端末から、前記サービスに関する入力を受け付けることと、
前記受け付けた入力内容を、前記制御部によって前記情報処理装置の記憶部に、前記利用履歴として記憶することと、を前記情報処理装置に実行させるプログラム。
【請求項８】
請求項１から請求項７のいずれか一項に記載のプログラムであって、
前記サービスは、前記ユーザと、他のユーザとの間でコンテンツの送受信を行うためのメッセージングサービスであり、
前記利用履歴は、前記ユーザが、前記他のユーザとの間で送受信したコンテンツの内容である。
【請求項９】
請求項８に記載のプログラムであって、
前記コンテンツは、前記ユーザが前記他のユーザに送信したメッセージ、または、前記他のユーザが前記ユーザに送信したメッセージの内容に関する。
【請求項１０】
請求項８に記載のプログラムであって、
前記利用履歴は、前記ユーザが、前記他のユーザとの間で送受信したスタンプまたはエモーティコンである。
【請求項１１】
請求項１０に記載のプログラムであって、
前記質問情報は、前記ユーザが、前記他のユーザとの間で使用する頻度の高いスタンプまたはエモーティコンに関する。
【請求項１２】
請求項１１に記載のプログラムであって、
前記質問情報は、前記ユーザが使用する頻度の高いスタンプまたはエモーティコンと、使用する頻度の低いスタンプまたはエモーティコンとを含む複数の選択肢の中から、前記ユーザが使用する頻度の高いスタンプを選択させる内容を含む。
【請求項１３】
請求項１から請求項７に記載のプログラムであって、
前記サービスは、前記ユーザと、他のユーザとの間でコンテンツの送受信を行うためのメッセージングサービスであり、
前記質問情報は、前記他のユーザのハンドルネーム、プロフィール写真、電話番号のいずれかに関する。
【請求項１４】
請求項１から請求項７に記載のプログラムであって、
前記利用履歴は、前記ユーザが、前記サービスの利用にあたって使用した端末のＩＰアドレスであり、
前記制御部は、前記ユーザが前記サービスの利用にあたって使用している端末のＩＰアドレスを取得し、取得したＩＰアドレスと、前記利用履歴に記憶されている前記ユーザのＩＰアドレスとが一致する場合に、前記通信部に前記質問情報を前記ユーザの端末に送信させる。
【請求項１５】
端末と通信する情報処理装置によって実行されるプログラムであって、
前記端末から、前記端末のユーザの識別情報を、前記情報処理装置の通信部によって受信することと、
前記端末に、質問内容を示す質問情報を前記通信部によって送信することと、
前記端末から、前記質問情報に対する回答を示す回答情報を前記通信部によって受信することと、
前記質問情報に対する前記回答情報が、前記情報処理装置が前記端末に対して提供するサービスの前記端末のユーザの識別情報に対応付けられた利用履歴に基づくものであるか否かによって、前記ユーザの識別情報を、前記情報処理装置の制御部によって認証することと、
を実行させるプログラム。
【請求項１６】
端末と通信する情報処理装置であって、
前記端末から、前記端末のユーザの識別情報を伴う認証要求を、前記情報処理装置の通信部によって受信する受信部と、
前記ユーザの識別情報の認証の可否を判断する制御部とを備え、
前記認証の可否の判断は、
前記通信部が、前記端末に質問情報を送信し、
前記通信部が、前記端末から前記質問情報に対する回答情報を受信し、
前記制御部が、前記質問情報に係る質問の正答であって前記ユーザの識別情報に対応し前記情報処理装置により提供されるサービスの利用履歴に基づく正答と、前記回答情報に係る回答と、を比較することにより行う
情報処理装置。
【請求項１７】
端末と通信する情報処理装置によって実行される認証方法であって、
前記端末から、前記端末のユーザの識別情報を伴う認証要求を、前記情報処理装置の通信部によって受信することと、
前記ユーザの識別情報の認証の可否を、前記情報処理装置の制御部によって、判断することと、を実行させ、
前記認証の可否の判断は、
前記通信部によって、前記端末に質問情報を送信することと、
前記通信部によって、前記端末から前記質問情報に対する回答情報を受信することと、
前記制御部によって、前記質問情報に係る質問の正答であって前記ユーザの識別情報に対応し前記情報処理装置により提供されるサービスの利用履歴に基づく正答と、前記回答情報に係る回答と、を比較することにより行う
認証方法。
【請求項１８】
端末と通信する情報処理装置であって、
前記端末から、前記端末のユーザの識別情報を受信し、
前記端末に、質問内容を示す質問情報を送信し、
前記端末から、前記質問情報に対する回答を示す回答情報を受信する通信部と、
前記質問情報に対する前記回答情報が、前記情報処理装置が前記端末に対して提供するサービスの前記端末のユーザの識別情報に対応付けられた利用履歴に基づくものであるか否かによって、前記ユーザの識別情報を認証する制御部と、
を備える情報処理装置。
【請求項１９】
端末と通信する情報処理装置によって実行される認証方法であって、
前記端末から、前記端末のユーザの識別情報を、前記情報処理装置の通信部によって受信することと、
前記端末に、質問内容を示す質問情報を前記通信部によって送信することと、
前記端末から、前記質問情報に対する回答を示す回答情報を前記通信部によって受信することと、
前記質問情報に対する前記回答情報が、前記情報処理装置が前記端末に対して提供するサービスの前記端末のユーザの識別情報に対応付けられた利用履歴に基づくものであるか否かによって、前記ユーザの識別情報を、前記情報処理装置の制御部によって認証することと、
を含む認証方法。